(57)【要約】【課題】２つのユニット間に介装されたアースバネの飛び出しを防ぎつつユニットを作業性良く取り外すことができるユニットの接地構造を提供すること。【解決手段】装置本体１Ａに対して着脱可能な紙送りユニット１と駆動ユニット２同士をアースバネ９を介して導通させることによって、紙送りユニット１を前記アースバネ９と駆動ユニット２を経由して接地するユニットの接地構造を、前記アースバネ９の長手方向中央部に大径部９Ａを形成し、該大径部９Ａを本体フレーム１７の凹部１７Ａ内に縮装保持し、該大径部９Ａから両方向に延びる小径部９Ｂ，９Ｃをフリーとしてその各端部を前記紙送りユニット１と駆動ユニット２にそれぞれ圧接して構成する。【選択図】図４
2014194506.tif 000002
【特許請求の範囲】
【請求項１】
装置本体に対して着脱可能な２つのユニット同士をアースバネを介して導通させることによって、一方のユニットを前記アースバネと他方のユニットを経由して接地するユニットの接地構造であって、
前記アースバネの長手方向中央部に大径部を形成し、該大径部を前記装置本体の凹部内に縮装保持し、該大径部から両方向に延びる小径部をフリーとしてその各端部を前記各ユニットに圧接して構成されることを特徴とするユニットの接地構造。
【請求項２】
前記アースバネの両小径部を蜜巻きしたことを特徴とする請求項１記載のユニットの接地構造。
【発明の詳細な説明】
【技術分野】
【０００１】
本発明は、装置本体に対して着脱可能な２つのユニット同士をアースバネを介して導通させることによって一方のユニットをアースバネと他方のユニットを介して接地するようにしたユニットの接地構造に関するものである。
【背景技術】
【０００２】
電子写真方式によって用紙に画像を形成する複写機等の画像形成装置においては、装置本体に対して着脱可能なユニットが設けられているが、ユニットが導電体を含む場合、帯電した電荷が放電することによって機器やユーザーに悪影響を及ぼす可能性があるため、ユニットを接地する必要がある。このようなユニットが２つある場合、一方のユニットの近くに接地するための導電体がない構成では、該一方のユニットを他方のユニットを経由して接地する必要がある。このような場合、２つのユニットはアース線で結ばれるが、両ユニットは装置本体に対して着脱されるため、これらのユニットをビスで締結すると着脱時の作業が煩雑となる。
【０００３】
そこで、両ユニット間に装着状態において他方に当接するようにアースバネを介装し、一方のユニットをアースバネと他方のユニットを経由して接地することが考えられる。
【０００４】
ところで、特許文献１には、導電性支軸が導電性軸受によって回動可能に支持されたローラーを、接地された本体フレームに電気的に接続することによってローラーを接地するようにした画像形成装置のローラー設置構造として、前記導電性軸受に取り付けられたアース板と前記本体フレームとを両端に形成した圧縮コイルバネの間を線材で連結した線バネを介してローラーを接地する構成が提案されている。
【先行技術文献】
【特許文献】
【０００５】
【特許文献１】特開２００８−１９７５０４号公報
【発明の概要】
【発明が解決しようとする課題】
【０００６】
ところで、装置本体に対して着脱可能な２つのユニット同士を両者間に介装されたアースバネを介して導通させる構成を採用する場合、アースバネを一方のユニットに固定する必要がある。このため、アースバネやユニットの形状が複雑になって部材コストが増加するとともに、組立作業性が低下するという問題がある。また、アースバネのバネ定数が小さいとアース不良が発生する可能性があり、バネ定数が大きいとユニットを着脱する際にユニットが飛び出す場合が発生して作業性が低下するため、バネ定数を適切な値に設定する必要がある。
【０００７】
本発明は上記問題に鑑みてなされたもので、その目的とする処は、２つのユニット間に介装されたアースバネを簡略な形状で簡単にユニットに固定可能とする。又、アースバネのバネ定数を適切な値に設定するのを容易にして、ユニットを作業性良く着脱することができるユニットの接地構造を提供することにある。
【課題を解決するための手段】
【０００８】
上記目的を達成するため、請求項１記載の発明は、装置本体に対して着脱可能な２つのユニット同士をアースバネを介して導通させることによって、一方のユニットを前記アースバネと他方のユニットを経由して接地するユニットの接地構造であって
前記アースバネの長手方向中央部に大径部を形成し、該大径部を前記装置本体の凹部内に縮装保持し、該大径部から両方向に延びる小径部をフリーとしてその各端部を前記各ユニットに圧接して構成されることを特徴とする。
【０００９】
請求項２記載の発明は、請求項１記載の発明において、前記アースバネの両小径部を蜜巻きしたことを特徴とする。
【発明の効果】
【００１０】
請求項１記載の発明によれば、アースバネの長手方向中央部に形成された大径部を装置本体の凹部内に縮装保持し、該大径部から両方向に延びる小径部をフリーとしてその各端部を各ユニットに圧接して両ユニット同士をアースバネを介して導通させるようにしたため、ユニットを取り外してもアースバネが飛び出すことがなく、該アースバネは装置本体の凹部に保持されたままであるため、ユニットを作業性良く取り外すことができる。
【００１１】
請求項２記載の発明によれば、アースバネの両小径部を蜜巻きしたため、各小径部は剛体として機能してバネ性を有さない。このため、アースバネの大径部のみがバネとして機能し、アースバネ全体の見掛けのバネ定数を簡単に計算することができる。
【図面の簡単な説明】
【００１２】
【図１】本発明に係るユニットの接地構造を備える画像形成装置の斜視図である。
【図２】本発明に係るユニットのアース構造を示す斜視図である。
【図３】本発明に係るユニットのアース構造を示す斜視図である。
【図４】本発明に係るユニットのアース構造を示す平断面図である。
【図５】図４のＡ−Ａ線断面図である。
【発明を実施するための形態】
【００１３】
以下に本発明の実施の形態を添付図面に基づいて説明する。
【００１４】
図１は本発明に係るユニットの接地構造を備える画像形成装置の斜視図であり、図示の画像形成装置１０は、胴内排紙型の複写機であって、その装置本体１０Ａの上部には画像読取部１１が配置されており、その下方には胴内排紙用の排紙トレイ１２が形成されている。そして、画像読取部１１の手前側端部には操作部１３が設けられている。
【００１５】
又、画像形成装置１０の前記排紙トレイ１２の下方には、手前側に引き出し可能な上下２段の給紙カセット１５，１６が設置されており、各給紙カセット１５，１６には複数枚の不図示の用紙が積層状態で収容されている。尚、図示しないが、装置本体１０Ａの画像形成部１４の内部には、像担持体である感光ドラム、該感光ドラムの表面を一様に帯電させる帯電器、帯電した感光ドラムの表面にレーザー光を露光走査して画像情報に応じた静電潜像を形成するレーザースキャナーユニット（ＬＳＵ）、感光ドラム上に形成された静電潜像を現像剤であるトナーによって現像してトナー像として顕像化する現像装置、感光ドラム上に形成されたトナー像を用紙上に転写する転写機、用紙上に転写されたトナー像を加熱及び加圧して定着させる定着装置等の各種プロセス機器が収容されている。
【００１６】
ところで、図１に示す画像形成装置１０には本発明に係るユニットの接地構造が備えられているが、その構成の詳細を図２〜図５に基づいて以下に説明する。尚、図２及び図３は本発明に係るユニットのアース構造を示す斜視図、図４は同アース構造を示す平断面図，図５は図４のＡ−Ａ線断面図である。
【００１７】
図１に示す画像形成装置１０の装置本体１０Ａ内には、図２〜図４に示す紙送りユニット１１とこれを駆動する駆動ユニット２が装置本体１０Ａに対して着脱可能に装填されている。ここで、紙送りユニット１は、用紙を搬送するユニットであって、そのハウジング３から水平に突出する入力軸４は、駆動ユニット２から水平に延びる出力軸５がスプリング６によって付勢されたカップリング７に対して挿脱可能に連結されている。
【００１８】
駆動ユニット２は、紙送りユニット１を駆動するユニットであって、その矩形平板状のフレーム２Ａには駆動源である電動モーター８が横向き状態で固設されている。尚、電動モーター８の不図示の出力軸（モーター軸）は、複数のギヤから成るギヤ列Ｇを介して前記出力軸５に連結されており、電動モーター８の出力軸（モーター軸）の回転はギヤ列Ｇを経て減速されて出力軸５に伝達され、この出力軸５の回転はカップリング７を介して紙送りユニット１の入力軸４に伝達され、該入力軸４及びこれに連結された不図示の搬送ローラーが所定の速度で回転駆動されて用紙が搬送される。
【００１９】
ところで、本実施の形態においては、紙送りユニット１と駆動ユニット２同士はこれらの間に介装された導電性のアースバネ９によって導通状態にある。そして、紙送りユニット１は、アースバネ９及び駆動ユニット２を介して接地されている。
【００２０】
上記アースバネ９は、その軸方向中央部に大径部９Ａが形成されており、この大径部９Ａから両方向には小径部９Ｂ，９Ｃが延びている。そして、アースバネ９は、図４及び図５に示すように、その大径部９Ａが本体フレーム１７に形成された凹部１７Ａ内に縮装保持されている。ここで、本体フレーム１７に形成された凹部１７Ａは、図５に示すように上方が開口する半円筒状に形成されており、この凹部１７Ａ内にアースバネ９の大径部９Ａが図４に示すように圧縮された状態で収容され、この大径部９Ａの長手方向両端は凹部１７Ａの端壁１７ａ，１７ｂの内面に当接している。そして、アースバネ９の大径部９Ａから両方向に延びる小径部９Ｂ，９Ｃは、図４に示すように本体フレーム１７に形成された凹部１７Ａの端壁１７ｂ，１７ｃに形成された貫通穴を貫通して本体フレーム１７の外部へと延出しており、これらの小径部９Ｂ，９Ｃの端部はそれぞれフリー状態になっている。図４に示すように、紙送りユニット１と駆動ユニット２が装置本体１０Ａ内に装着されている状態では、これらの紙送りユニット１と駆動ユニット２はアースバネ９の小径部９Ｂ，９Ｃの端部にそれぞれ圧接されている。
【００２１】
ところで、本実施の形態では、アースバネ９の小径部９Ｂ，９Ｃは蜜巻きされてバネ性を有しておらず、大径部９Ａのみがバネ性を有してバネとしての機能を果たす。従って、アースバネ９の小径部９Ｂ，９Ｃは剛体として機能し、図４に示すように紙送りユニット１と駆動ユニット２がアースバネ９の小径部９Ｂ，９Ｃの端部にそれぞれと圧接している状態では、該アースバネ９の大径部９Ａは小径部９Ｂ，９Ｃによって両側から押されて本体フレーム１７の凹部１７Ａ内で押し縮められた状態となっている。尚、本実施の形態では、アースバネ９の一方の小径部９Ｂの方が他方の小径部９Ｃよりも大径に形成されている。
【００２２】
而して、以上のように本体フレーム１７の凹部１７Ａ内に大径部９Ａが縮装保持されたアースバネ９の大径部９Ａから両方向に延びる小径部９Ｂ，９Ｃの各端部に紙送りユニット１と駆動ユニット２がそれぞれ当接することによって、紙送りユニット１がアースバネ９と駆動ユニット２を介して接地され、該紙送りユニット１に溜まった電荷が放電されて他の機器やユーザーに悪影響を及ぼすという不具合が解消される。
【００２３】
以上において、本発明に係る接地構造によれば、アースバネ９の長手方向中央部に形成された大径部９Ａを本体フレーム１７の凹部１７Ａ内に縮装保持し、該大径部９Ａから両方向に延びる小径部９Ｂ，９Ｃをフリーとしてその各端部を紙送りユニット１と駆動ユニット２にそれぞれ圧接して両ユニット１，２同士をアースバネ９を介して導通するようにした。アースバネ９は、同軸上に大径部と小径部が連結された単純な形状であるため、製造が容易であるとともに、両端の圧縮コイルバネを線材で連結した形状のアースバネと比較して、変形しにくいので、保管や取扱いが容易である。又、装置に取り付けて固定する作業も容易である。そして、紙送りユニット１又は駆動ユニット２の一方又は双方を取り外してもアースバネ９が飛び出すことがなく、該アースバネ９は本体フレーム１７の凹部１７Ａに保持されたままであるため、紙送りユニット１及び駆動ユニット２を作業性良く取り外すことができる。
【００２４】
又、本実施の形態では、アースバネ９の両小径部９Ｂ，９Ｃを蜜巻きしたため、各小径部９Ｂ，９Ｃは剛体として機能してバネ性を有さない。このため、アースバネ９の大径部９Ａのみがバネとして機能し、アースバネ９全体の見掛けのバネ定数を簡単に計算することができるという効果が得られる。
【００２５】
尚、以上の実施の形態では、着脱可能なユニットとして画像形成装置の紙送りユニットと駆動ユニットを例として説明したが、本発明は、アースバネを介して互いに導通される他の任意のユニットの接地構造に対しても同様に適用可能であることは勿論である。
【符号の説明】
【００２６】
１              紙送りユニット（ユニット）
２              駆動ユニット（ユニット）
２Ａ            駆動ユニットのフレーム
３              紙送りユニットのハウジング
４              紙送りユニットの入力軸
５              駆動ユニットの出力軸
６              スプリング
７              カップリング
８              伝導モーター
９              アースバネ
９Ａ            アースバネの大径部
９Ｂ，９Ｃ      アースバネの小径部
１０            複写機
１０Ａ          装置本体
１１            画像読取部
１２            排紙トレイ
１３            操作部
１４〜１６      給紙カセット
１７        本体フレーム
１７Ａ          本体フレームの凹部
１７ａ，１７ｂ  本体フレームの凹部の端壁
Ｇ              ギヤ列
【図１】
2014194506.tif 000003
【図２】
2014194506.tif 000004
【図３】
2014194506.tif 000005
【図４】
2014194506.tif 000006
【図５】
2014194506.tif 000007